(57)【要約】【課題】判定対象である原稿サイズの数が多くなっても、原稿サイズを判定することができる原稿読取装置を提供する。【解決手段】スキャナー２１によって読み取らせた判定データを用いて原稿サイズを判定する原稿サイズ判定部７１と、スキャナー２１によって読み取られた画像データ中のサイズ判定用斜線３５を特定する斜線特定部７２とを具備し、原稿サイズ判定部７１は、第２開閉検出センサー２６による開成検出後の閉成検出時にスキャナー２１を大サイズ判定位置に配置させて読み取らせた判定データに基づく第１判定動作と、第１開閉検出センサー３６による閉成検出後にスキャナー２１を大サイズ判定位置から走査しながら読み取らせた判定データ中のサイズ判定用斜線３５を斜線特定部７２によって特定させ、サイズ判定用斜線３５の変化に基づく第２判定動作とのいずれかで原稿サイズを判定する。【選択図】図５
2018160734.tif 000002
【特許請求の範囲】
【請求項１】
複数の光電変換素子が主走査方向に配列されているスキャナーを、副走査方向に移動させながらコンタクトガラスに基準頂点を基準にして載置された原稿を走査し、画像データを読み取る原稿読取装置であって、
前記コンタクトガラスに対向する原稿押さえ面に一定の幅を有するサイズ判定用斜線が設けられた、前記コンタクトガラスの原稿載置面を開閉する原稿台カバーと、
前記原稿台カバーの開閉を検出する第１開閉検出部と、
前記原稿台カバーが予め設定された閾角度よりも開かれているか否かを前記閾角度での開閉として検出する第２開閉検出部と、
前記スキャナーによって読み取らせた判定データを用いて、判定対象の複数の原稿サイズの中から前記コンタクトガラスに載置されている原稿の原稿サイズを判定する原稿サイズ判定部と、
前記スキャナーによって読み取られた画像データ中の前記サイズ判定用斜線を特定する斜線特定部と、を具備し、
前記原稿サイズ判定部は、前記第２開閉検出部による開成検出後の閉成検出時に、前記スキャナーを主走査方向の原稿幅のみで原稿サイズを判定可能なサイズ判定位置に配置させて読み取らせた前記判定データに基づいて原稿サイズを判定する第１判定動作を実行すると共に、
前記第１判定動作によって原稿サイズが判定できなかった場合、前記第１開閉検出部による閉成検出後に前記スキャナーを前記サイズ判定位置から走査しながら読み取らせた前記判定データ中の前記サイズ判定用斜線を前記斜線特定部によって特定させ、前記サイズ判定用斜線の変化に基づいて原稿サイズを判定する第２判定動作を実行することを特徴とする原稿読取装置。
【請求項２】
前記原稿サイズ判定部は、前記第２開閉検出部による前記原稿台カバーによる開成検出時に、前記スキャナーを前記サイズ判定位置に配置させることを特徴とする請求項１記載の原稿読取装置。
【請求項３】
前記原稿サイズ判定部は、前記第２判定動作において、前記スキャナーを前記サイズ判定位置から読み取り開始位置に向かう方向に走査しながら前記判定データを読み取らせることを特徴とする請求項１又は２記載の原稿読取装置。
【請求項４】
前記原稿サイズ判定部は、前記第２判定動作において、前記サイズ判定用斜線の消滅で副走査方向の原稿幅を、前記サイズ判定用斜線の斜線幅減少で主走査方向の原稿幅をそれぞれ検出することを特徴とする請求項１乃至３のいずれかに記載の原稿読取装置。
【請求項５】
前記コンタクトガラスは、Ａ３縦までセット可能なサイズであり、
前記原稿サイズ判定部は、Ａ５縦、Ａ５横、Ｂ５縦、Ｂ５横、Ａ４縦、Ａ４横、Ｂ４縦、Ａ３縦を原稿サイズの判定対象に含み、前記第１判定動作でＢ５縦、Ａ４縦、Ｂ４縦、Ａ３縦を判定すると共に、前記第２判定動作でＡ５縦、Ａ５横、Ｂ５横、Ａ４横を判定することを特徴とする請求項１乃至４のいずれかに記載の原稿読取装置。
【請求項６】
前記原稿サイズ判定部は、前記第２判定動作において、検出した副走査方向の原稿幅に基づいてＡ５横、Ｂ５横、Ａ４横を判定すると共に、検出した主走査方向の原稿幅に基づいてＡ５縦を判定することを特徴とする請求項１乃至４のいずれかに記載の原稿読取装置。
【発明の詳細な説明】
【技術分野】
【０００１】
本発明は、コンタクトガラスに載置された原稿を読み取る原稿読取装置に係り、特に原稿サイズ判定機能を有する原稿読取装置に関する。
【背景技術】
【０００２】
従来、コンタクトガラスに写真や文書等の原稿を読み取る原稿読取装置を備えた画像形成装置として電子複写機、ファクシミリ等が知られている。このような画像形成装置では、始めにコンタクトガラスに載置された原稿の原稿サイズを判定し、判定した原稿サイズに基づいて読み取りの制御や印刷する用紙の選択等を行うものが知られている。
【０００３】
原稿サイズの判定方法としては、コンタクトガラス上に設置された原稿の所定の位置のみを読み取り、読み取った原稿の画像データを用いて、原稿の所定位置に対応する複数のパッチの白黒判定処理を行い、各パッチの白黒判定結果に基づいて原稿サイズの判定することが提案されている（例えば、特許文献１参照）。
【先行技術文献】
【特許文献】
【０００４】
【特許文献１】特開２００７−１５８９６５号公報
【発明の概要】
【発明が解決しようとする課題】
【０００５】
しかしながら、従来技術では、4個のパッチを用いてＡ３とＡ４縦横との３種類の原稿サイズを判定しているに過ぎず、Ｂ判、Ａ５等を含めた原稿サイズを判定することが難しい。すなわち、複数のパッチの組み合わせで原稿サイズを判定しているため、判定対象である原稿サイズの数が多くなると対応することが困難になってしまう。
【０００６】
本発明は、上記問題点を鑑みてなされたものであり、その目的とするところは、判定対象である原稿サイズの数が多くなっても、原稿サイズを判定することができる原稿読取装置を提供することを目的とする。
【課題を解決するための手段】
【０００７】
本発明の原稿読取装置は、複数の光電変換素子が主走査方向に配列されているスキャナーを、副走査方向に移動させながらコンタクトガラスに基準頂点を基準にして載置された原稿を走査し、画像データを読み取る原稿読取装置であって、前記コンタクトガラスに対向する原稿押さえ面に一定の幅を有するサイズ判定用斜線が設けられた、前記コンタクトガラスの原稿載置面を開閉する原稿台カバーと、前記原稿台カバーの開閉を検出する第１開閉検出部と、前記原稿台カバーが予め設定された閾角度よりも開かれているか否かを前記閾角度での開閉として検出する第２開閉検出部と、前記スキャナーによって読み取らせた判定データを用いて、判定対象の複数の原稿サイズの中から前記コンタクトガラスに載置されている原稿の原稿サイズを判定する原稿サイズ判定部と、前記スキャナーによって読み取られた画像データ中の前記サイズ判定用斜線を特定する斜線特定部と、を具備し、前記原稿サイズ判定部は、前記第２開閉検出部による開成検出後の閉成検出時に、前記スキャナーを主走査方向の原稿幅のみで原稿サイズを判定可能なサイズ判定位置に配置させて読み取らせた前記判定データに基づいて原稿サイズを判定する第１判定動作を実行すると共に、前記第１判定動作によって原稿サイズが判定できなかった場合、前記第１開閉検出部による閉成検出後に前記スキャナーを前記サイズ判定位置から走査しながら読み取らせた前記判定データ中の前記サイズ判定用斜線を前記斜線特定部によって特定させ、前記サイズ判定用斜線の変化に基づいて原稿サイズを判定する第２判定動作を実行することを特徴とする。
さらに、本発明の原稿読取装置において、前記原稿サイズ判定部は、前記第２開閉検出部による前記原稿台カバーによる開成検出時に、前記スキャナーを前記サイズ判定位置に配置させても良い。
さらに、本発明の原稿読取装置において、前記原稿サイズ判定部は、前記第２判定動作において、前記スキャナーを前記サイズ判定位置から読み取り開始位置に向かう方向に走査しながら前記判定データを読み取らせても良い。
さらに、本発明の原稿読取装置において、前記原稿サイズ判定部は、前記第２判定動作において、前記サイズ判定用斜線の消滅で副走査方向の原稿幅を、前記サイズ判定用斜線の斜線幅減少で主走査方向の原稿幅をそれぞれ検出しても良い。
さらに、本発明の原稿読取装置において、前記コンタクトガラスは、Ａ３縦までセット可能なサイズであり、前記原稿サイズ判定部は、Ａ５縦、Ａ５横、Ｂ５縦、Ｂ５横、Ａ４縦、Ａ４横、Ｂ４縦、Ａ３縦を原稿サイズの判定対象に含み、前記第１判定動作でＢ５縦、Ａ４縦、Ｂ４縦、Ａ３縦を判定すると共に、前記第２判定動作でＡ５縦、Ａ５横、Ｂ５横、Ａ４横を判定しても良い。
さらに、本発明の原稿読取装置において、前記原稿サイズ判定部は、前記第２判定動作において、検出した副走査方向の原稿幅に基づいてＡ５横、Ｂ５横、Ａ４横を判定すると共に、検出した主走査方向の原稿幅に基づいてＡ５縦を判定しても良い。
【発明の効果】
【０００８】
本発明によれば、第１判定動作と第２判定動作とを併用することで、判定対象である原稿サイズの数が多くなっても、原稿サイズを判定することができる。という効果を奏する。
【図面の簡単な説明】
【０００９】
【図１】本発明に係る原稿読取装置の実施の形態の構成を示す外観斜視図である。
【図２】本発明に係る原稿読取装置の実施の形態の構成を示す外観斜視図である。
【図３】本発明に係る原稿読取装置の実施の形態の内部構成を示す断面模式図である。
【図４】図１に示すコンタクトガラスをセットされた原稿とサイズ判定用斜線との配置を示す図である。
【図５】本発明に係る原稿読取装置の実施の形態の概略構成を示すブロック図である。
【図６】本発明に係る原稿読取装置の実施の形態における原稿サイズ判定動作を説明するフローチャートである。
【図７】図５に示す原稿読取部２による大サイズ判定スキャンで取得される第１判定データ例を示す図である。
【図８】図５に示す原稿サイズ判定部による第２判定データに基づく判定動作を説明する説明図である。
【図９】図５に示す原稿サイズ判定部による第２判定データに基づく判定動作を説明する説明図である。
【図１０】図４に示すサイズ判定用斜線の変形例を示す図である。
【発明を実施するための形態】
【００１０】
次に、本発明の実施の形態を、図面を参照して具体的に説明する。
本実施の形態の原稿読取装置は、複写機１であり、図１及び図２を参照すると、原稿読取部２と、原稿給送部３と、本体部４と、操作部５とを備えている。原稿読取部２は、本体部４の上部に配設され、原稿給送部３は、原稿読取部２の上部に配設されている。操作部５は、複写機１の手前側に配設されている。また、原稿給送部３と原稿読取部２とは、複写機１の奥側でヒンジ機構６によって接続されており、原稿給送部３を手前側から上方に開くことで、原稿読取部２上面のコンタクトガラス２２を開放可能な構成になっている。図１には、原稿給送部３を大きく開いた状態が、図２には、原稿給送部３を小さく開いた状態がそれぞれ示されている。なお、本件の原稿読取装置は、複写機１で説明したが、原稿読取装置単体や、複合機等が含まれるのは、言うまでもない。
【００１１】
複写機１の手前側には、複写機１の設定や動作指示を行う操作部５が配設されている。操作部５は、液晶パネル等の表示入力部、操作ボタン等の入力部が設けられている。
【００１２】
原稿読取部２は、図３を参照すると、スキャナー２１と、コンタクトガラス２２と、スリットガラス２３とを備えている。スキャナー２１は、ＬＥＤ（Light Emitting Diode）を用いた光源２４と、ＣＣＤ（Charge Coupled Device）ラインセンサーやＣＭＯＳ（Complementary Metal Oxide Semiconductor）ラインセンサー等の主走査方向に配列された複数の光電変換素子からなる受光部２５とを備えている。スキャナー２１は、副走査方向に移動可能に構成されている。
【００１３】
コンタクトガラス２２は、ガラス等の矩形状の透明部材により構成され、原稿読取部２の上面に配置された原稿台である。コンタクトガラス２２への原稿のセットは、図１に示すように、コンタクトガラス２２の左奥の頂点（以下、基準頂点Ｓと称す）を基準する。そして、コンタクトガラス２２セットにセットされた原稿は、コンタクトガラス２２の左辺側からスキャナー２１によって読み取られる。以下、コンタクトガラス２２の左辺を読取開始基準線Ｘと称す）
【００１４】
スリットガラス２３は、原稿給送部３による原稿の搬送方向と直交する方向に形成されたガラス等の矩形状の透明部材により構成されている。
【００１５】
原稿給送部３は、原稿載置部３１と、原稿搬送機構３２と、原稿排出部３３とを備えている。原稿載置部３１に載置された原稿は、原稿搬送機構３２によって、１枚ずつ順に繰り出されてスリットガラス２３に対向する位置へ搬送され、その後、原稿排出部３３に排出される。
【００１６】
原稿給送部３は、原稿台であるコンタクトガラス２２の原稿載置面を開閉する原稿台カバーとして機能する。原稿給送部３を上方に開くことで、コンタクトガラス２２上面が開放され、コンタクトガラス２２に原稿をセットできる状態となる。また、原稿給送部３におけるコンタクトガラス２２との対向面は、白色等の原稿押さえ面３４となっている。
【００１７】
原稿押さえ面３４には、サイズ判定用斜線３５が設けられている。サイズ判定用斜線３５は、一定の幅（例えば、主走査方向の斜線幅：１０ｍｍ）を有し、原稿押さえ面３４よりも濃度が高い色（例えば、黒色）の直線である。サイズ判定用斜線３５は、図４に示すように、原稿給送部３が閉成された状態で、コンタクトガラス２２に縦向きにセットされたＡ３サイズの原稿（Ａ３縦）の対角線と重なる位置に設けられている。なお、本実施の形態では、長手方向を副走査方向に向けた原稿を縦向きと称し、長手方向を主走査方向に向けた原稿を横向きと称する。
【００１８】
本実施の形態のコンタクトガラス２２は、図４に示すように、Ａ３縦までセット可能なサイズである。図４には、Ａ５縦、Ａ５横、Ｂ５縦、Ｂ５横、Ａ４縦、Ａ４横、Ｂ４縦、Ａ４縦がコンタクトガラス２２にセットされた例が点線で示されている。
【００１９】
図１を参照すると、原稿読取部２には第２開閉検出センサー２６が、原稿給送部３には第１開閉検出センサー３６が、原稿給送部３の開閉動作を検出する開閉検出手段としてそれぞれ設けられている。第１開閉検出センサー３６は、原稿給送部３の開閉を検出するマイクロスイッチであり、原稿給送部３が閉成状態でオンされ、原稿給送部３が開成状態でオフされる。第２開閉検出センサー２６は、予め設定された閾角度での開閉、すなわち原稿給送部３の開成が閾角度よりも開いているか否かを検出するマイクロスイッチであり、原稿給送部３の開成角度が閾角度以下でオンされ、原稿給送部３の開成角度が閾角度を上回るとオフされる。なお、第２開閉検出センサー２６がオン／オフされる閾角度は、次のように設定されている。閾角度で原稿給送部３が開成された状態で、原稿読取部２によって画像データの読み取りを行うと、原稿以外の範囲では、光源２４から照射された光が受光部２５に結像されないように設定されている。
【００２０】
原稿載置部３１に原稿が載置されていない状態や、原稿給送部３が開いた開状態で、操作部５によって原稿の読み取りが指示されると、コンタクトガラス２２に載置された原稿が読み取られる。コンタクトガラス２２に載置された原稿を読み取る場合には、スキャナー２１は、コンタクトガラス２２に載置された原稿を、読取開始基準線Ｘから主走査方向と直交する副走査方向に走査しながら読み取って画像データを取得し、取得した画像データを本体部４に出力する。
【００２１】
原稿載置部３１に原稿が載置された状態で、操作部５によって原稿の読み取りが指示されると、原稿給送部３により搬送された原稿が読み取られる。原稿給送部３により搬送された原稿を読み取る場合には、スキャナー２１は、スリットガラス２３と対向する位置に移動され、スリットガラス２３を介し、原稿給送部３による原稿の搬送動作と同期して原稿を読み取って画像データを取得し、取得した画像データを本体部４に出力する。
【００２２】
本体部４は、給紙部４１と、印刷部４２を備えている。給紙部４１は、複数枚の記録紙が収納される給紙カセットである。印刷部４２は、印刷データに基づいてトナー像を形成し、形成したトナー像を給紙部４１から搬送されてくる記録紙に転写させ、記録紙に転写されたトナー像を所定の定着温度で定着させて印刷する。
【００２３】
図５には、複写機１の概略構成を示すブロック図が示されている。上述の原稿読取部２、原稿給送部３、給紙部４１、印刷部４２及び操作部５は、制御部７に接続され、制御部７によって動作制御される。また、制御部７には、画像処理部８と、記憶部９とが接続されている。
【００２４】
制御部７は、ＣＰＵ（Central Processing Unit）、ＲＯＭ（Read Only Memory）、ＲＡＭ（Random Access Memory）等を備えたマイクロコンピュータ等の演算処理回路である。ＲＯＭには複写機１の動作制御を行うための制御プログラムが記憶されている。制御部７は、ＲＯＭに記憶されている制御プログラムを読み出し、制御プログラムをＲＡＭに展開させることで、操作部５から入力された各種指示情報に応じて装置全体の制御を行う。
【００２５】
また、制御部７は、判定対象の複数の原稿サイズの中からコンタクトガラス２２に載置されている原稿の原稿サイズを判定する原稿サイズ判定部７１として機能する。原稿サイズ判定部７１は、第２開閉検出センサー２６及び第１開閉検出センサー３６のそれぞれのオン／オフの状況に応じて、原稿読取部２によって読み取られた画像データを判定データとして用いて、原稿サイズを判定する。本実施の形態において、原稿サイズ判定部７１は、図４に点線で示すＡ５縦、Ａ５横、Ｂ５縦、Ｂ５横、Ａ４縦、Ａ４横、Ｂ４縦、Ａ３縦を原稿サイズの判定対象としている。
【００２６】
さらに、制御部７は、原稿読取部２によって取得された画像データ中のサイズ判定用斜線３５を特定する斜線特定部７２として機能する。斜線特定部７２は、原稿読取部２によって取得された画像データを印刷部４２によって印刷する際に、画像データ中にサイズ判定用斜線３５を特定した場合、画像処理部８によって特定したサイズ判定用斜線３５を消去させる。
【００２７】
原稿読取部２によって取得させる複数の判定データは、大サイズ判定スキャンによる画像データと、小サイズ判定スキャンによる画像データとからなる。
【００２８】
大サイズ判定スキャンにおいて、原稿読取部２は、主走査方向の原稿幅のみで原稿サイズを判定可能な位置にスキャナー２１を配置させ、１ライン分の画像データを判定データとして読み取る。本実施の形態では、図４に一点鎖線Ｌで示すように、基準頂点Ｓから副走査方向にＡ４横端部よりも遠く、Ｂ５縦の端部よりも近い位置にスキャナー２１が配置される。以下、大サイズ判定スキャン時におけるスキャナー２１の配置を大サイズ判定位置Ｌと称す。
【００２９】
小サイズ判定スキャンにおいて、原稿読取部２は、大サイズ判定スキャン後にスキャナー２１を大サイズ判定位置Ｌから読取開始基準線Ｘに向けて走査しながら画像データを判定データとして読み取る。
【００３０】
画像処理部８は、ＣＰＵ（Central Processing Unit）、ＲＯＭ（Read Only Memory）、ＲＡＭ（Random Access Memory）等を備えたマイクロコンピュータ等の演算処理回路であり、例えば、拡大縮小処理、濃度調整処理、階調調整処理等の画像処理に係る各種ジョブを実行する。
【００３１】
記憶部９は、半導体メモリーやＨＤＤ（Hard Disk Drive）等の記憶手段であり、画像処理用のメモリーや各種設定を記憶するメモリーとして使用される。また、記憶部９には、サイズ判定用斜線３５の幅や配置を示す斜線情報９１が記憶されている。
【００３２】
次に、本実施の形態の複写機１における原稿サイズ判定動作について図６乃至図９を参照して詳細に説明する。
【００３３】
図６を参照すると、原稿給送部３を開けて、コンタクトガラス２２上に原稿をセットするオペレーターによる一連の動作を検出するために、制御部７は原稿サイズ判定部７１として機能し、第２開閉検出センサー２６のオフ、すなわち原稿給送部３の閾角度を上回る開成を監視している（ステップＳ１）。
【００３４】
ステップＳ１で第２開閉検出センサー２６がオフ、すなわち原稿給送部３の閾角度を上回る開成が検出されると、原稿サイズ判定部７１は、スキャナー２１を大サイズ判定位置Ｌに配置させる（ステップＳ２）。なお、スキャナー２１のホームポジションを大サイズ判定位置Ｌとしても良く、スリットガラス２３と対向する位置等をスキャナー２１のホームポジションにして、大サイズ判定位置Ｌに移動させるようにしても良い。
【００３５】
次に、原稿サイズ判定部７１は、第２開閉検出センサー２６のオン、すなわち閾角度での開成検出後の閉成検出として、原稿給送部３の開成が閾角度以下になるか否かを監視する（ステップＳ３）。
【００３６】
ステップＳ３で第２開閉検出センサー２６のオン、すなわち閾角度での開成検出後の閉成検出として、原稿給送部３の開成が閾角度以下になったことが検出されると、原稿サイズ判定部７１は、原稿読取部２による大サイズ判定スキャンを実行させ、大サイズ判定スキャンによる画像データを第１判定データとして取得する（ステップＳ４）。
【００３７】
ステップＳ４では、原稿給送部３が閾角度で開成された状態で、原稿読取部２による大サイズ判定スキャンが行われ、図７に示すような第１判定データが取得される。図７において、横軸は主走査方向、縦軸は受光部２５による検出信号（輝度）である。なお、受光部２５による検出信号は、明るい（白）場合ほど高くなり、暗い（黒）場合ほど低くなる。また、図７（ａ）（ｃ）には、原稿が白色無地の場合の第１判定データが示されている。
【００３８】
次に、原稿サイズ判定部７１は、原稿が検出されたか否かを判断する（ステップＳ５）。原稿サイズ判定部７１は、図７（ａ）（ｃ）に示すように、閾値ｔｈを超える領域がある場合に原稿検出と判断し、図７（ｂ）に示すように、閾値ｔｈを超える領域がない場合に原稿不検出と判断する。
【００３９】
ステップＳ５で原稿が検出された場合、原稿サイズ判定部７１は、第１判定データに基づいて主走査方向の原稿幅Ｗｍを検出する（ステップＳ６）。第１判定データにおいて原稿がない領域は黒となるため、原稿の手前側端部では、検出信号が大きな差となって現れる。従って、適切な閾値ｔｈを設定しておくことで、第１判定データに基づいて主走査方向の原稿幅Ｗｍが検出できる。
【００４０】
次に、原稿サイズ判定部７１は、判定対象の原稿サイズの中で主走査方向の原稿幅Ｗｍと一致するものがあるか否かを判断する（ステップＳ７）。
【００４１】
ステップＳ７で主走査方向の原稿幅Ｗｍと一致する原稿サイズがある場合、原稿サイズ判定部７１は、一致する原稿サイズを判定結果として決定し（ステップＳ８）、原稿サイズ判定動作を終了する。図７（ａ）に示すように、主走査方向の原稿幅ＷｍがＡ４縦と一致する場合、原稿サイズ判定部７１は、Ａ４縦を判定結果として決定する。この第１判定データに基づいて特定した主走査方向の原稿幅Ｗｍによる判定では、Ｂ５縦、Ａ４縦、Ｂ４縦、Ａ３縦を判定することができる。
【００４２】
図７（ｃ）に示すように、主走査方向の原稿幅Ｗｍと一致するものがない場合、ステップＳ７で主走査方向の原稿幅Ｗｍと一致する原稿サイズがないと判断される。この場合、コンタクトガラス２２にセットされた原稿が判定対象の原稿サイズとは異なっているため、原稿サイズ判定部７１は、原稿サイズを決定することなく、原稿サイズ判定動作を終了する。
【００４３】
ステップＳ５で原稿が検出されなかった場合、原稿サイズ判定部７１は、第１開閉検出センサー３６のオン、すなわち原稿給送部３の閉成を監視する（ステップＳ９）。
【００４４】
ステップＳ９で第１開閉検出センサー３６のオン、すなわち原稿給送部３の閉成が検出されると、原稿サイズ判定部７１は、原稿読取部２による小サイズ判定スキャンを実行させ、小サイズ判定スキャンによる１ラインの画像データを第２判定データとして取得する（ステップＳ１０）。
【００４５】
次に、制御部７は斜線特定部７２として機能する。斜線特定部７２は、斜線情報９１に基づいて第２判定データ中のサイズ判定用斜線３５を特定する（ステップＳ１１）。
【００４６】
次に、原稿サイズ判定部７１は、第２判定データ中のサイズ判定用斜線３５が消滅、すなわち斜線特定部７２がサイズ判定用斜線３５を特定できなかったか否かを判断すると共に（ステップＳ１２）、斜線特定部７２が特定したサイズ判定用斜線３５の幅が減少したか否かを判断する（ステップＳ１３）。
【００４７】
図８に一点鎖線で示す読取ラインＬ１〜Ｌ６では、第２判定データ中のサイズ判定用斜線３５が所定幅で特定されることになる。この場合、ステップＳ１２及びステップＳ１３のいずれでもＮｏと判断され、原稿サイズ判定部７１は、ステップＳ１０に戻って、次の読取ラインの第２判定データを取得する。
【００４８】
図８に一点鎖線で示す読取ラインＬ７では、第２判定データ中のサイズ判定用斜線３５が消滅、すなわち斜線特定部７２がサイズ判定用斜線３５を特定できない。従って、ステップＳ１２でＹｅｓと判断され、原稿サイズ判定部７１は、読取ラインＬ７の位置に基づいて副走査方向の原稿幅Ｗｓを検出する（ステップＳ１４）。
【００４９】
次に、原稿サイズ判定部７１は、ステップＳ７に至り、判定対象の原稿サイズの中で副走査方向の原稿幅Ｗｓと一致するものがあるか否かを判断する。この第２判定データに基づいて特定した副走査方向の原稿幅Ｗｓによる判定では、Ａ５横、Ｂ５横、Ａ４横を判定することができる。
【００５０】
図９に一点鎖線で示す読取ラインＬ７では、斜線特定部７２が特定したサイズ判定用斜線３５の幅が減少する（例えば、主走査方向の斜線幅が１０ｍｍから９ｍｍに減少）。従って、ステップＳ１３でＹｅｓと判断され、原稿サイズ判定部７１は、特定されたサイズ判定用斜線３５と、読取ラインＬ７の位置とに基づいて、主走査方向の原稿幅Ｗｍを検出する（ステップＳ１５）。
【００５１】
次に、原稿サイズ判定部７１は、ステップＳ７に至り、判定対象の原稿サイズの中で主走査方向の原稿幅Ｗｍと一致するものがあるか否かを判断する。この第２判定データに基づいて特定した主走査方向の原稿幅Ｗｍによる判定では、Ａ５縦を判定することができる。なお、Ａ４横とＡ５縦とは、副走査方向の原稿幅Ｗｓが同一であるが、Ａ５縦は、副走査方向の原稿幅Ｗｓで判定することなく、主走査方向の原稿幅Ｗｍによって判定するように設定しておくことで、区別して判定することができる。
【００５２】
なお、本実施の形態では、判定対象の最小サイズをＡ５にしたが、小サイズの判定にサイズ判定用斜線３５を用いているため、Ａ５よりも小さいはがきや名刺等の原稿サイズも判定可能である。
【００５３】
また、サイズ判定用斜線３５は、小サイズ判定スキャンによって判定する複数の原稿サイズの辺を単独で判定可能な範囲に設ける。従って、本実施の形態では、図１０にように、Ａ４横、Ｂ５横、Ａ５縦、Ａ５横の辺を単独で判定可能な範囲のみにサイズ判定用斜線３５ａを設けるようにしても良い。
【００５４】
以上説明したように、本実施の形態によれば、複数の光電変換素子が主走査方向に配列されているスキャナー２１を、副走査方向に移動させながらコンタクトガラス２２に基準頂点を基準にして載置された原稿を走査し、画像データを読み取る原稿読取部２を備えた複写機１であって、コンタクトガラス２２に対向する原稿押さえ面に一定の幅を有するサイズ判定用斜線３５が設けられた、コンタクトガラス２２の原稿載置面を開閉する原稿台カバー（原稿給送部３）と、原稿台カバーの開閉を検出する第１開閉検出センサー３６と、原稿台カバーが予め設定された閾角度よりも開かれているか否かを閾角度での開閉として検出する第２開閉検出センサー２６と、スキャナー２１によって読み取らせた判定データを用いて、判定対象の複数の原稿サイズの中からコンタクトガラス２２に載置されている原稿の原稿サイズを判定する原稿サイズ判定部７１と、スキャナー２１によって読み取られた画像データ中のサイズ判定用斜線３５を特定する斜線特定部７２とを具備し、原稿サイズ判定部７１は、第２開閉検出センサー２６による開成検出後の閉成検出時に、大サイズ判定スキャンとしてスキャナー２１を主走査方向の原稿幅のみで原稿サイズを判定可能な大サイズ判定位置Ｌに配置させて読み取らせた判定データに基づに基づいて原稿サイズを判定する第１判定動作を実行すると共に、前記第１判定動作によって原稿サイズが判定できなかった場合、第１開閉検出センサー３６による閉成検出後に、小サイズ判定スキャンとしてスキャナー２１を大サイズ判定位置Ｌから走査しながら読み取らせた判定データ中のサイズ判定用斜線３５を斜線特定部７２によって特定させ、サイズ判定用斜線３５の変化に基づいて原稿サイズを判定する第２判定動作を実行することを特徴とする。
この構成により、大サイズ判定スキャンによる第１判定動作と、小サイズ判定スキャンによる第２判定動作とを併用することで、判定対象である原稿サイズの数が多くなっても、原稿サイズを判定することができる。また、大きな原稿サイズは、大サイズ判定スキャンによる第１判定動作で素早く判定することができる。そして、小サイズ判定スキャンによる第２判定動作は、原稿台カバーが閉じられる途中ではなく、原稿台カバーが閉じられた後に実行されるため、時間制約が解消される。
【００５５】
さらに、本実施の形態において、原稿サイズ判定部７１は、第２開閉検出センサー２６による開成検出時に、スキャナー２１を大サイズ判定位置Ｌに配置させる。
この構成により、大サイズ判定スキャンによる第１判定動作を素早く実行することができる。
【００５６】
さらに、本実施の形態において、原稿サイズ判定部７１は、小サイズ判定スキャンによる第２判定動作において、スキャナー２１を大サイズ判定位置Ｌから読取開始基準線Ｘに向かう方向に走査しながら判定データを読み取らせる。
この構成により、原稿サイズ判定後の原稿の読み取りを素早く開始させることができる。
【００５７】
さらに、本実施の形態において、原稿サイズ判定部７１は、小サイズ判定スキャンによる第２判定動作において、サイズ判定用斜線３５の消滅で副走査方向の原稿幅Ｗｓを、サイズ判定用斜線３５の斜線幅減少で主走査方向の原稿幅Ｗｍをそれぞれ検出する。
この構成により、
【００５８】
さらに、本実施の形態において、コンタクトガラス２２は、Ａ３縦までセット可能なサイズであり、原稿サイズ判定部７１は、Ａ５縦、Ａ５横、Ｂ５縦、Ｂ５横、Ａ４縦、Ａ４横、Ｂ４縦、Ａ３縦を原稿サイズの判定対象に含み、大サイズ判定スキャンによる第１判定動作でＢ５縦、Ａ４縦、Ｂ４縦、Ａ３縦を判定すると共に、小サイズ判定スキャンによる第２判定動作でＡ５縦、Ａ５横、Ｂ５横、Ａ４横を判定する。
この構成により、一般的な判別対象を原稿サイズを効率良く判別することができる。
【００５９】
さらに、本実施の形態において、原稿サイズ判定部７１は、小サイズ判定スキャンによる第２判定動作において、検出した副走査方向の原稿幅Ｗｓに基づいてＡ５横、Ｂ５横、Ａ４横を判定すると共に、検出した主走査方向の原稿幅Ｗｍに基づいてＡ５縦を判定する。
この構成により、副走査方向の原稿幅が同じになるＡ４横とＡ５縦とを区別して判定することができる。
【００６０】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【符号の説明】
【００６１】
１  複写機
２  原稿読取部
３  原稿給送部
４  本体部
５  操作部
６  ヒンジ機構
７  制御部
８  画像処理部
９  記憶部
２１  スキャナー
２２  コンタクトガラス
２３  スリットガラス
２４  光源
２５  受光部
２６  第２開閉検出センサー
３１  原稿載置部
３２  原稿搬送機構
３３  原稿排出部
３４  原稿押さえ面
３５  サイズ判定用斜線
３６  第１開閉検出センサー
４１  給紙部
４２  印刷部
７１  原稿サイズ判定部
７２  斜線特定部
９１  斜線情報
【図１】
2018160734.tif 000003
【図２】
2018160734.tif 000004
【図３】
2018160734.tif 000005
【図４】
2018160734.tif 000006
【図５】
2018160734.tif 000007
【図６】
2018160734.tif 000008
【図７】
2018160734.tif 000009
【図８】
2018160734.tif 000010
【図９】
2018160734.tif 000011
【図１０】
2018160734.tif 000012